(57)【要約】      （修正有）【課題】不都合が少なくなるよう改善された新規な構成の止水板を提供する。【解決手段】第一前壁７ａと第一後壁７ｂとの間に亘った第一横壁７ｃと、第一横壁に設けられた第一係合部７ｈと、第一横壁に設けられ第一係合部の屋外側に離間して位置された第三係合部７ｉと、を有した第一パネル７と、第一前壁の上方に離間して位置された第二前壁８ａと、第一後壁の上方に離間して位置された第二後壁８ｂと、第二前壁と第二後壁との間に亘った第二横壁８ｃと、第二前壁から第一前壁に向けて突出した前側突出壁８ｅと、第二後壁から第一後壁に向けて突出した後側突出壁８ｆと、前側突出壁と後側突出壁との間に位置され第二横壁から第一横壁に向けて突出した中間突出壁８ｇと、後側突出壁に設けられ第一係合部と係合可能な第二係合部８ｈと、中間突出壁に設けられ第三係合部と係合可能な第四係合部８ｉと、を有した第二パネル８と、を備える。【選択図】図４
2020148002.tif 000002
【特許請求の範囲】
【請求項１】
構造物の屋内側と屋外側とを連通する開口部を覆う止水板であって、
第一前壁と、前記第一前壁の前記屋内側に離間して位置された第一後壁と、前記第一前壁と前記第一後壁との間に亘った第一横壁と、前記第一横壁に設けられた第一係合部と、前記第一横壁に設けられ前記第一係合部の前記屋外側に離間して位置された第三係合部と、を有した第一パネルと、
前記第一前壁の上方に離間して位置された第二前壁と、前記第一後壁の上方に離間して位置された第二後壁と、前記第二前壁と前記第二後壁との間に亘った第二横壁と、前記第二前壁から前記第一前壁に向けて突出した前側突出壁と、前記第二後壁から前記第一後壁に向けて突出した後側突出壁と、前記前側突出壁と前記後側突出壁との間に位置され前記第二横壁から前記第一横壁に向けて突出した中間突出壁と、前記後側突出壁に設けられ前記第一係合部と係合可能な第二係合部と、前記中間突出壁に設けられ前記第三係合部と係合可能な第四係合部と、を有した第二パネルと、
を備えた、止水板。
【請求項２】
前記第一後壁から前記屋内側に離れた部分を有して当該第一後壁と接続された第一補強壁、および前記第二後壁から前記屋内側に離れた部分を有して当該第二後壁と接続された第二補強壁のうち、少なくとも一方を備えた、請求項１に記載の止水板。
【請求項３】
前記第二補強壁は、一端部が前記第二後壁と接続され、他端部が前記後側突出壁と接続された状態に設けられた、請求項２に記載の止水板。
【請求項４】
前記後側突出壁の厚さは、前記第二後壁の厚さよりも薄い、請求項１〜３のうちいずれか一つに記載の止水板。
【請求項５】
前記中間突出壁の厚さは、前記第二後壁の厚さまたは前記第二前壁の厚さよりも薄い、請求項１〜４のうちいずれか一つに記載の止水板。
【請求項６】
前記第二横壁の厚さは、前記第二後壁の厚さまたは前記第二前壁の厚さよりも薄い、請求項１〜５のうちいずれか一つに記載の止水板。
【発明の詳細な説明】
【技術分野】
【０００１】
本発明は、止水板に関する。
【背景技術】
【０００２】
従来、第一係合部および第三係合部が設けられた第一パネルと、第一係合部と係合可能な第二係合部が設けられた前壁および第三係合部と係合可能な第四係合部が設けられた後壁を有した第二パネルと、を備えた止水板が、知られている（例えば、特許文献１参照）。
【先行技術文献】
【特許文献】
【０００３】
【特許文献１】特開２０１６−２２３１２０号公報
【発明の概要】
【発明が解決しようとする課題】
【０００４】
この種の止水板では、例えば、水圧に対する強度の向上と組立て作業性の向上とを両立できる等、より不都合が少なくなるよう改善された新規な構成が得られれば、有益である。
【０００５】
そこで、本発明の課題の一つは、例えば、より不都合が少なくなるよう改善された新規な構成の止水板を得ることである。
【課題を解決するための手段】
【０００６】
本発明の止水板は、例えば、構造物の屋内側と屋外側とを連通する開口部を覆う止水板であって、第一前壁と、上記第一前壁の上記屋内側に離間して位置された第一後壁と、上記第一前壁と上記第一後壁との間に亘った第一横壁と、上記第一横壁に設けられた第一係合部と、上記第一横壁に設けられ上記第一係合部の上記屋外側に離間して位置された第三係合部と、を有した第一パネルと、上記第一前壁の上方に離間して位置された第二前壁と、上記第一後壁の上方に離間して位置された第二後壁と、上記第二前壁と上記第二後壁との間に亘った第二横壁と、上記第二前壁から上記第一前壁に向けて突出した前側突出壁と、上記第二後壁から上記第一後壁に向けて突出した後側突出壁と、上記前側突出壁と上記後側突出壁との間に位置され上記第二横壁から上記第一横壁に向けて突出した中間突出壁と、上記後側突出壁に設けられ上記第一係合部と係合可能な第二係合部と、上記中間突出壁に設けられ上記第三係合部と係合可能な第四係合部と、を有した第二パネルと、を備える。
【０００７】
このような構成によれば、例えば、前側突出壁と後側突出壁との間に設けられた中間突出壁によって、止水板の断面係数が増大するため、止水板の水圧に対する剛性や強度が高まりやすい。また、第四係合部が中間突出壁に設けられているため、例えば、第四係合部が前側突出壁に設けられた場合と比べて、第二係合部と第四係合部との間のモーメントアームがより短くなりやすい。よって、例えば、第二パネルを第一パネルに対して第二係合部を中心に回転させて組付ける場合に、第四係合部と第三係合部とがより容易に係合（嵌合）し、ひいては第一パネルと第二パネルとの組立て作業性が向上しうる。
【０００８】
また、上記止水板では、例えば、上記第一後壁から上記屋内側に離れた部分を有して当該第一後壁と接続された第一補強壁、および上記第二後壁から上記屋内側に離れた部分を有して当該第二後壁と接続された第二補強壁のうち、少なくとも一方を備える。このような構成によれば、例えば、第一補強壁および第二補強壁のうち少なくとも一方によって、止水板の断面係数が増大するため、止水板の水圧に対する剛性や強度がより一層高まりやすい。
【０００９】
また、上記止水板では、例えば、上記第二補強壁は、一端部が上記第二後壁と接続され、他端部が上記後側突出壁と接続された状態に設けられる。このような構成によれば、例えば、後側突出壁等の厚さを薄くして第一パネルと第二パネルとの組立て作業性を高めた場合にも、第二補強壁によって第二パネルの水圧に対する剛性や強度の低下を抑制することができる。
【００１０】
また、上記止水板では、例えば、上記後側突出壁の厚さは、上記第二後壁の厚さよりも薄い。このような構成によれば、例えば、後側突出壁の厚さが第二後壁の厚さと同じ場合と比べて、後側突出壁が撓みやすくなり、ひいては第一パネルと第二パネルとの組立て作業性が向上しやすい。
【００１１】
また、上記止水板では、例えば、上記中間突出壁の厚さは、上記第二後壁の厚さまたは上記第二前壁の厚さよりも薄い。このような構成によれば、例えば、中間突出壁の厚さが第二後壁または第二前壁の厚さと同じ場合と比べて、中間突出壁が撓みやすくなり、ひいては第四係合部と第三係合部とがより一層容易に係合（嵌合）しやすい。
【００１２】
また、上記止水板では、例えば、上記第二横壁の厚さは、上記第二後壁の厚さまたは上記第二前壁の厚さよりも薄い。このような構成によれば、例えば、第二横壁の厚さが第二後壁または第二前壁の厚さと同じ場合と比べて、第二横壁が撓みやすくなり、ひいては第四係合部と第三係合部とがより一層容易に係合（嵌合）しやすい。
【発明の効果】
【００１３】
本発明によれば、例えば、より不都合が少なくなるよう改善された新規な構成の止水板を得ることができる。
【図面の簡単な説明】
【００１４】
【図１】図１は、実施形態の止水板を備えた開閉装置の例示的かつ模式的な正面図であって、止水板が第一位置に位置された状態の図である。
【図２】図２は、実施形態の止水板を備えた開閉装置の例示的かつ模式的な側面図（一部断面図）であって、止水板が第一位置に位置された状態の図である。
【図３】図３は、実施形態の止水板を備えた開閉装置の例示的かつ模式的な側面図（一部断面図）であって、止水板が第二位置に位置された状態の図である。
【図４】図４は、実施形態の止水板の例示的かつ模式的な断面図である。
【図５】図５は、図４の一部の拡大図である。
【図６】図６は、図４の一部の拡大図であって、第二係合部と第四係合部との係合が解除された状態の図である。
【発明を実施するための形態】
【００１５】
以下、本発明の例示的な実施形態が開示される。以下に示される実施形態の構成、ならびに当該構成によってもたらされる作用および効果は、一例である。本発明は、以下の実施形態に開示される構成以外によっても実現可能である。また、本発明によれば、構成によって得られる種々の効果（派生的な効果も含む）のうち少なくとも一つを得ることが可能である。
【００１６】
なお、本明細書では、序数は、部品や、部材、部位、位置、方向等を区別するためだけに用いられており、順番や優先度を示すものではない。
【００１７】
［実施形態］
図１は、止水板４を備えた開閉装置１の正面図であって、止水板４が第一位置Ｐ１に位置された状態の図である。図２は、開閉装置１の側面図（一部断面図）であって、止水板４が第一位置Ｐ１に位置された状態の図である。図３は、開閉装置１の側面図（一部断面図）であって、止水板４が第二位置Ｐ２に位置された状態の図である。第一位置Ｐ１は、閉塞位置（閉位置）等とも称され、第二位置Ｐ２は、開放位置（開位置）等とも称される。
【００１８】
図１，２に示されるように、開閉装置１は、例えば、構造物１００に設けられた開口部１０１を開閉可能に覆うシャッター装置である。開閉装置１は、シャッターカーテン３（開閉体）と、止水板４と、ガイドレール５と、巻取装置６と、を備えている。構造物１００は、例えば、車庫や、工場、倉庫、ビル、店舗、住宅等の建築構造物であり、開口部１０１を介して自動車等の車両や人間等が出入りしうる。開閉装置１は、止水板付きシャッター等とも称される。
【００１９】
なお、以下の各図では、便宜上、互いに直交する三方向が定義されている。Ｘ方向は、止水板４の厚さ方向（前後方向）に沿うとともに、開口部１０１の開口方向（貫通方向）に沿う。Ｙ方向は、止水板４の幅方向（左右方向、長手方向）に沿うとともに、開口部１０１の幅方向に沿う。Ｚ方向は、止水板４の高さ方向（上下方向、短手方向）に沿うとともに、開口部１０１の高さ方向に沿う。
【００２０】
また、以下の説明では、開口部１０１を介してＸ方向の一方の空間から他方の空間へ水が浸入する可能性がある場合のＸ方向の他方（下流側）が屋内側と定義され、Ｘ方向の一方（上流側）が屋外側と定義される。すなわち、屋内側とは、止水板４によって水の浸入を防止（阻止、抑制）したい側であり、屋外側とは、浸入可能性のある水が流れてくる側のことである。また、以下の説明では、床面１０２とは、開口部１０１の下方に位置する面を意味する便宜上の文言であり、通常の床面１０２に限らず、コンクリート面や地面等を含むものとする。
【００２１】
図２，３に示されるように、シャッターカーテン３は、開口部１０１を開閉可能に覆っている。シャッターカーテン３は、止水板４とともにＺ方向に沿って移動することで開口部１０１を開閉する。シャッターカーテン３（開口部１０１）の開方向は、図１〜３の上方向（Ｚ方向）、すなわち床面１０２から離れる方向であり、閉方向は、図１〜３の下方向、すなわち床面１０２に近付く方向である。
【００２２】
シャッターカーテン３は、止水板４と接続された下端部３ａと、下端部３ａとは反対側に位置され巻取装置６の巻取軸１２（図２参照）と接続された上端部３ｂと、を有している。シャッターカーテン３は、例えば、複数の帯板状のスラットをＺ方向に連接したスラット連接体等によって構成されうる。
【００２３】
止水板４は、シャッターカーテン３と床面１０２との間に設けられている。止水板４は、シャッターカーテン３とともに開口部１０１を開閉可能に覆っている。止水板４は、例えば、Ｘ方向に所定の厚さを有し、Ｙ方向およびＺ方向に沿って延びるとともに、Ｙ方向に横長な直方体状に構成されている。止水板４は、防錆性を有する板状の金属材を加工してパネル状に構成されている。
【００２４】
止水板４は、床面１０２と面した下端部４ａと、下端部４ａとは反対側に位置されシャッターカーテン３と接続された上端部４ｂと、を有している。止水板４は、シャッターカーテン３と一体に、開口部１０１を閉じる第一位置Ｐ１（図２参照）と、開口部１０１を開く第二位置Ｐ２（図３参照）と、の間で移動可能に構成されている。
【００２５】
図１に示されるように、ガイドレール５は、シャッターカーテン３および止水板４のＹ方向の両端部に設けられている。ガイドレール５は、例えば、Ｙ方向の中央部側に向けて開放された略Ｕ字状の断面を有し、床面１０２と巻取装置６との間に亘ってＺ方向に直線状に延びている。ガイドレール５は、シャッターカーテン３および止水板４をＺ方向に沿ってスライド可能に支持する。
【００２６】
巻取装置６は、シャッターカーテン３およびガイドレール５の上方（Ｚ方向）に設けられている。図１，２に示されるように、巻取装置６は、例えば、シャッターケース１１や、巻取軸１２、開閉機１３、動力伝達機構１５等を有している。巻取装置６は、構造物１００における躯体１０３の屋内側のスペースに設置されている。躯体１０３は、天井部材等とも称される。なお、図１では、便宜上、躯体１０３は、図示省略されている。
【００２７】
シャッターケース１１は、例えば、Ｙ方向に横長な直方体状の箱型に構成されている。シャッターケース１１には、巻取軸１２や、開閉機１３、動力伝達機構１５、シャッターカーテン３等が収容されている。
【００２８】
また、シャッターケース１１には、シャッターカーテン３が出入りする開口部１１ａ１（図２参照）が設けられている。開口部１１ａ１は、シャッターケース１１の底壁１１ａをＺ方向に貫通するとともにシャッターカーテン３に沿ってＹ方向に細長く延びた長穴である。開口部１１ａ１のＹ方向の両端部は、ガイドレール５とＺ方向に並んでいる。
【００２９】
巻取軸１２は、シャッターケース１１にＹ方向に沿った回転中心Ａｘ１回りに回転可能に支持されている。巻取軸１２には、シャッターカーテン３の上端部３ｂが接続されている。巻取軸１２は、回転中心Ａｘ１回りに回転することで、シャッターケース１１内にシャッターカーテン３を巻き取って収納したり、シャッターケース１１外にシャッターカーテン３を引き出したりする。
【００３０】
開閉機１３は、例えば、駆動源としてのモータや、巻取軸１２の回転を制動するブレーキ機構、モータおよびブレーキ機構を制御する制御部等を有している。開閉機１３は、チェーンやスプロケット等を含む動力伝達機構１５を介して、巻取軸１２と接続されている。これにより、開閉機１３から巻取軸１２に駆動力が伝達される。
【００３１】
図１，２に示されるように、止水板４が第一位置Ｐ１に位置された状態では、下端部４ａと床面１０２とが当接し、シャッターカーテン３とともに開口部１０１が閉じられる。これにより、下端部４ａと床面１０２との間がシールされ、開口部１０１を介した屋内側への雨水等の水の浸入が、防止（阻止、抑制）される。なお、止水板４の下端部４ａには、床面１０２と当接する止水ゴム等のシール部材等が設けられうる。
【００３２】
また、図３に示されるように、止水板４が第二位置Ｐ２に位置された状態では、下端部４ａが床面１０２からシャッターカーテン３とともにＺ方向に離間する。これにより、開口部１０１の少なくとも一部が開放される。第二位置Ｐ２は、例えば、止水板４が巻取装置６の下方に隣接（近接）した位置である。なお、第二位置Ｐ２は、この例には限定されず、例えば、シャッターケース１１内に収納された位置等であってもよい。
【００３３】
次に、止水板４についてより詳しく説明する。図４は、止水板４の断面図であり、図５は、図４の一部の拡大図である。図６は、図４の一部の拡大図であって、係合部７ｉと係合部８ｉとの係合が解除された状態の図である。
【００３４】
図４に示されるように、止水板４は、例えば、下パネル７と、上パネル８と、を有している。上パネル８は、下パネル７の上方（Ｚ方向）に位置され、後述する係合部８ｈと係合部７ｈとの係合、および係合部８ｉと係合部７ｉとの係合による所謂スナップフィットによって互いに着脱可能に結合されている。下パネル７は、第一パネルの一例であり、上パネル８は、第二パネルの一例である。
【００３５】
図４，５に示されるように、下パネル７は、例えば、前壁７ａや、後壁７ｂ、横壁７ｃ、補強壁７ｄ等の複数の壁部と、複数の係合部７ｈ，７ｉと、を有している。
【００３６】
前壁７ａは、Ｘ方向と直交する方向（ＹＺ平面）に沿って延びるとともに、Ｙ方向に横長な長方形状の板状に構成されている。前壁７ａは、止水板４の屋外側を向いた面の一部を構成している。前壁７ａは、第一前壁の一例である。
【００３７】
後壁７ｂは、前壁７ａの屋内側、すなわちＸ方向の他方に離間して位置されている。後壁７ｂは、前壁７ａに沿って延びた長方形状の板状に構成されている。後壁７ｂのＸ方向に沿った厚さは、前壁７ａのＸ方向に沿った厚さと略同じである。後壁７ｂは、止水板４の屋内側を向いた面の一部を構成している。後壁７ｂは、第一後壁の一例である。
【００３８】
横壁７ｃは、前壁７ａの上端部、すなわち床面１０２とは反対側の端部と、後壁７ｂの上端部との間に亘っている。横壁７ｃは、Ｚ方向と直交する方向（ＸＹ平面）に沿って延びるとともに、Ｙ方向に横長な長方形状の板状に構成されている。横壁７ｃは、第一横壁の一例である。
【００３９】
補強壁７ｄは、後壁７ｂの屋内側に位置されている。補強壁７ｄは、Ｙ方向と直交したＸＺ断面（図４参照）が、後壁７ｂ側に向けて開放された略Ｕ字状に構成されている。言い換えると、補強壁７ｄは、後壁７ｂの上端部と接続された一端部と、後壁７ｂの下端部と接続された他端部と、一端部と他端部との間に亘り後壁７ｂから屋内側に離れて位置された中間部７ｄ３と、を有している。補強壁７ｄは、後壁７ｂに沿ってＹ方向に延びている。中間部７ｄ３は、部分の一例である。
【００４０】
係合部７ｈは、横壁７ｃの屋内側の端部に設けられている。図５に示されるように、係合部７ｈは、例えば、第一突出部７ｈ１と、爪部７ｈ２と、第二突出部７ｈ３と、を有している。第一突出部７ｈ１および第二突出部７ｈ３は、互いに間隔をあけて横壁７ｃから上方（Ｚ方向）に突出している。爪部７ｈ２は、第一突出部７ｈ１の横壁７ｃとは離れた位置から、屋内側に突出している。爪部７ｈ２は、後述する上パネル８の爪部８ｈ１（係合部８ｈ）と面し、当該爪部８ｈ１とＺ方向に係合可能である。
【００４１】
第二突出部７ｈ３は、第一突出部７ｈ１の屋内側に離間して位置されている。第二突出部７ｈ３のＺ方向に沿った高さは、第一突出部７ｈ１のＺ方向に沿った高さよりも低い。第二突出部７ｈ３と第一突出部７ｈ１との間のスペースには、上パネル８の係合部８ｈが収容（係合）される。係合部７ｈは、横壁７ｃに沿ってＹ方向に延びている。係合部７ｈは、第一係合部の一例である。
【００４２】
係合部７ｉは、横壁７ｃのＸ方向の略中央部に設けられている。言い換えると、係合部７ｉは、係合部７ｈの屋外側に離間して位置されている。係合部７ｉは、例えば、突出部７ｉ１と、爪部７ｉ２と、を有している。
【００４３】
突出部７ｉ１は、横壁７ｃから上方（Ｚ方向）に突出している。爪部７ｉ２は、突出部７ｉ１の横壁７ｃとは離れた位置から、屋外側に突出している。爪部７ｉ２は、後述する上パネル８の爪部８ｉ１（係合部８ｉ）と面し、当該爪部８ｉ１とＺ方向に係合可能である。係合部７ｉは、横壁７ｃに沿ってＹ方向に延びている。係合部７ｉは、第三係合部の一例である。
【００４４】
図４，５に示されるように、上パネル８は、例えば、前壁８ａや、後壁８ｂ、横壁８ｃ、補強壁８ｄ、前側突出壁８ｅ、後側突出壁８ｆ、中間突出壁８ｇ等の複数の壁部と、複数の係合部８ｈ，８ｉと、を有している。
【００４５】
前壁８ａは、前壁７ａの上方に離間して位置されている。前壁８ａは、Ｘ方向と直交する方向（ＹＺ平面）に沿って延びるとともに、Ｙ方向に横長な長方形状の板状に構成されている。前壁８ａは、前壁７ａとともに止水板４の屋外側を向いた面の一部を構成している。前壁８ａは、第二前壁の一例である。
【００４６】
後壁８ｂは、後壁７ｂの上方に離間して位置されるとともに、前壁８ａの屋内側に離間して位置されている。後壁８ｂは、前壁８ａに沿って延びた長方形状の板状に構成されている。後壁８ｂのＸ方向に沿った厚さは、前壁８ａのＸ方向に沿った厚さと略同じである。後壁８ｂは、後壁７ｂとともに止水板４の屋内側を向いた面の一部を構成している。後壁８ｂは、第二後壁の一例である。
【００４７】
横壁８ｃは、前壁８ａの下端部、すなわち床面１０２側の端部と、後壁８ｂの下端部との間に亘っている。横壁８ｃは、Ｚ方向と直交する方向（ＸＹ平面）に沿って延びるとともに、Ｙ方向に横長な長方形状の板状に構成されている。横壁８ｃのＺ方向に沿った厚さは、前壁８ａおよび後壁８ｂのＸ方向に沿った厚さよりも薄い。横壁８ｃは、第二横壁の一例である。
【００４８】
補強壁８ｄは、後壁８ｂの屋内側に位置されている。補強壁８ｄは、Ｙ方向と直交したＸＺ断面（図４参照）が、後壁８ｂ側に向けて開放された略Ｕ字状に構成されている。補強壁８ｄは、後壁８ｂの上端部と接続された一端部８ｄ１と、後側突出壁８ｆと接続された他端部８ｄ２と、一端部８ｄ１と他端部８ｄ２との間に亘り後壁８ｂから屋内側に離れて位置された中間部８ｄ３と、を有している。補強壁８ｄは、後壁８ｂに沿ってＹ方向に延びている。中間部８ｄ３は、部分の一例である。
【００４９】
前側突出壁８ｅは、前壁８ａから前壁７ａに向けて突出し、Ｙ方向に沿って延びている。前側突出壁８ｅは、下パネル７と上パネル８とが互いに一体化された状態で、前壁８ａと前壁７ａとの間に亘っている。前側突出壁８ｅは、前壁７ａ，８ａとともに止水板４の屋外側を向いた面の一部を構成している。また、前側突出壁８ｅのＸ方向に沿った厚さは、前壁７ａ，８ａのＸ方向に沿った厚さよりも薄い。前側突出壁８ｅは、第一突出壁等とも称される。
【００５０】
また、図５に示されるように、前側突出壁８ｅには、前壁７ａと横壁７ｃとの間の角部に設けられた傾斜面７ｅと当接可能な当接部８ｅ１が設けられている。傾斜面７ｅは、屋内側から屋外側に向かうにつれて床面１０２に近付くように傾斜している。傾斜面７ｅは、面取部や、凹部等とも称されうる。本実施形態によれば、例えば、傾斜面７ｅと当接部８ｅ１との間から、止水板４内に浸入した水を排出することができる。
【００５１】
後側突出壁８ｆは、後壁８ｂから後壁７ｂに向けて突出し、Ｙ方向に沿って延びている。後側突出壁８ｆは、下パネル７と上パネル８とが互いに一体化された状態で、後壁８ｂと後壁７ｂとの間に亘っている。後側突出壁８ｆは、後壁７ｂ，８ｂとともに止水板４の屋内側を向いた面の一部を構成している。また、後側突出壁８ｆのＸ方向に沿った厚さは、後壁７ｂ，８ｂのＸ方向に沿った厚さよりも薄い。後側突出壁８ｆは、第二突出壁等とも称される。
【００５２】
中間突出壁８ｇは、横壁８ｃから横壁７ｃに向けて突出し、Ｙ方向に沿って延びている。中間突出壁８ｇは、前側突出壁８ｅと後側突出壁８ｆとの間に位置されている。中間突出壁８ｇのＺ方向に沿った高さ（長さ）は、横壁８ｃと横壁７ｃとの間の高さと略同じかあるいは僅かに小さい。また、中間突出壁８ｇのＸ方向に沿った厚さは、後壁８ｂおよび前壁８ａのＸ方向に沿った厚さよりも薄い。中間突出壁８ｇは、第三突出壁等とも称される。
【００５３】
係合部８ｈは、後側突出壁８ｆの下端部に設けられている。係合部８ｈは、例えば、後側突出壁８ｆから屋外側（爪部７ｈ２側）に突出した爪部８ｈ１を有している。爪部８ｈ１は、上述した下パネル７の爪部７ｈ２と面し、当該爪部７ｈ２とＺ方向に係合可能である。爪部８ｈ１は、後側突出壁８ｆに沿ってＹ方向に延びている。係合部８ｈは、第二係合部の一例である。係合部８ｈ，７ｈは、引掛部や、接続部、位置決め部、ヒンジ部等とも称されうる。
【００５４】
係合部８ｉは、中間突出壁８ｇの下端部に設けられている。係合部８ｉは、例えば、中間突出壁８ｇから屋内側（爪部７ｉ２側）に突出した爪部８ｉ１を有している。爪部８ｉ１は、上述した下パネル７の爪部７ｉ２と面し、当該爪部７ｉ２とＺ方向に係合可能である。爪部８ｉ１は、中間突出壁８ｇに沿ってＹ方向に延びている。係合部８ｉは、第四係合部の一例である。係合部８ｉ，７ｉは、引掛部や、接続部等とも称されうる。
【００５５】
図５，６に示されるように、本実施形態では、例えば、止水板４の組立て時には、まず、係合部８ｈを係合部７ｈに引っ掛けることで、上パネル８を下パネル７に対して位置決めする。そして、上パネル８を下パネル７に対して係合部８ｈを中心にＹ方向に沿って延びる回転中心（第二突出部７ｈ３の上端面）回りに回転させ、係合部８ｉを係合部７ｉに係合（嵌合）することで、上パネル８と下パネル７とを互いに一体化することができる。
【００５６】
以上のように、本実施形態では、例えば、上パネル８（第二パネル）には、前壁８ａ（第二前壁）から前壁７ａ（第一前壁）に向けて突出した前側突出壁８ｅと、後壁８ｂ（第二後壁）から後壁７ｂ（第一後壁）に向けて突出した後側突出壁８ｆと、前側突出壁８ｅと後側突出壁８ｆとの間に位置され横壁８ｃ（第二横壁）から横壁７ｃ（第一横壁）に向けて突出した中間突出壁８ｇと、後側突出壁８ｆに設けられ係合部７ｈ（第一係合部）と係合可能な係合部８ｈ（第二係合部）と、中間突出壁８ｇに設けられ係合部７ｉ（第三係合部）と係合可能な係合部８ｉ（第四係合部）と、が設けられている。
【００５７】
このような構成によれば、例えば、前側突出壁８ｅと後側突出壁８ｆとの間に設けられた中間突出壁８ｇによって、止水板４の断面係数が増大するため、止水板４の水圧に対する剛性や強度が高まりやすい。また、係合部８ｉが中間突出壁８ｇに設けられているため、例えば、係合部８ｉが前側突出壁８ｅに設けられた場合と比べて、係合部８ｈと係合部８ｉとの間のモーメントアームがより短くなりやすい。よって、例えば、上パネル８を下パネル７に対して係合部８ｈを中心に回転させて組付ける場合に、係合部８ｉと係合部７ｉとがより容易に係合（嵌合）し、ひいては下パネル７と上パネル８との組立て作業性が向上しうる。
【００５８】
また、本実施形態では、例えば、止水板４は、後壁７ｂから屋内側に離れた中間部７ｄ３（部分）を有して当該後壁７ｂと接続された補強壁７ｄ（第一補強壁）と、後壁８ｂから屋内側に離れた中間部８ｄ３（部分）を有して当該後壁８ｂと接続された補強壁８ｄ（第二補強壁）と、を備える。このような構成によれば、例えば、補強壁７ｄ，８ｄによって、止水板４の断面係数が増大するため、止水板４の水圧に対する剛性や強度がより一層高まりやすい。
【００５９】
また、本実施形態では、例えば、補強壁８ｄは、一端部８ｄ１が後壁８ｂと接続され、他端部８ｄ２が後側突出壁８ｆと接続された状態に設けられている。このような構成によれば、例えば、後側突出壁８ｆ等の厚さを薄くして下パネル７と上パネル８との組立て作業性を高めた場合にも、補強壁８ｄによって上パネル８の水圧に対する剛性や強度の低下を抑制することができる。
【００６０】
また、本実施形態では、例えば、後側突出壁８ｆのＸ方向に沿った厚さは、後壁８ｂのＸ方向に沿った厚さよりも薄い。このような構成によれば、例えば、後側突出壁８ｆの厚さが後壁８ｂの厚さと同じ場合と比べて、後側突出壁８ｆが撓みやすくなり、ひいては下パネル７と上パネル８との組立て作業性が向上しやすい。
【００６１】
また、本実施形態では、例えば、中間突出壁８ｇのＸ方向に沿った厚さは、後壁８ｂおよび前壁８ａのＸ方向に沿った厚さよりも薄い。このような構成によれば、例えば、中間突出壁８ｇの厚さが後壁８ｂおよび前壁８ａの厚さと同じ場合と比べて、中間突出壁８ｇが撓みやすくなり、ひいては係合部８ｉと係合部７ｉとがより一層容易に係合（嵌合）しやすい。
【００６２】
また、本実施形態では、例えば、横壁８ｃのＺ方向に沿った厚さは、後壁８ｂおよび前壁８ａのＸ方向に沿った厚さよりも薄い。このような構成によれば、例えば、横壁８ｃの厚さが後壁８ｂおよび前壁８ａの厚さと同じ場合と比べて、横壁８ｃが撓みやすくなり、ひいては係合部８ｉと係合部７ｉとがより一層容易に係合（嵌合）しやすい。
【００６３】
以上、本発明の実施形態が例示されたが、上記実施形態は一例であって、発明の範囲を限定することは意図していない。上記実施形態は、その他の様々な形態で実施されることが可能であり、発明の要旨を逸脱しない範囲で、種々の省略、置き換え、組み合わせ、変更を行うことができる。また、各構成や、形状、等のスペック（構造や、種類、方向、形式、大きさ、長さ、幅、厚さ、高さ、数、配置、位置、材質等）は、適宜に変更して実施することができる。
【００６４】
例えば、止水板は、シャッターカーテンと一体となったもの（開閉装置、止水板付きシャッター）には限定されず、従来構造のような構造物の開口部に単独で設置されるものであってもよい。
【符号の説明】
【００６５】
４…止水板、７…下パネル（第一パネル）、７ａ…前壁（第一前壁）、７ｂ…後壁（第一後壁）、７ｃ…横壁（第一横壁）、７ｄ…補強壁（第一補強壁）、７ｄ３…中間部（部分）、７ｈ…係合部（第一係合部）、７ｉ…係合部（第三係合部）、８…上パネル（第二パネル）、８ａ…前壁（第二前壁）、８ｂ…後壁（第二後壁）、８ｃ…横壁（第二横壁）、８ｄ…補強壁（第二補強壁）、８ｄ３…中間部（部分）、８ｅ…前側突出壁、８ｆ…後側突出壁、８ｇ…中間突出壁、８ｈ…係合部（第二係合部）、８ｉ…係合部（第四係合部）。
【図１】
2020148002.tif 000003
【図２】
2020148002.tif 000004
【図３】
2020148002.tif 000005
【図４】
2020148002.tif 000006
【図５】
2020148002.tif 000007
【図６】
2020148002.tif 000008